(57)【要約】【課題】本発明は、設定荷重以上の重い洗濯物を干した場合等は紐状体が繰り出されて昇降体が自動的に降下することにより室内用物干し装置や天井にダメージを与えることを阻止すると共に昇降体を水平状態で吊り上げて置くことができる室内用物干し装置を提供する。【解決手段】この室内用物干し装置１０は、取付部に固定される物干し装置本体１２を備えている。物干し装置本体１２は、天井Ａに固定されるケースカバー１６と、このケースカバー１６の両側部にそれぞれ内設される紐状体巻取装置１８と、ケースカバー１６の少なくとも一側部に内設される操作装置２０と、紐状体巻取装置１８に巻き取られたり繰り出されたりする紐状体としての紐２２と、これら紐２２に結ばれて昇降する昇降体としての昇降竿２４と、を備えている。【選択図】図１
2018068941.tif 000002
【特許請求の範囲】
【請求項１】
取付部に取り付けられる物干し装置本体を備えてなる室内用物干し装置であって、
前記物干し装置本体は、紐状体巻取装置と、駆動軸と、この駆動軸に回転力を伝える回転力伝達部材と、この回転力伝達部材の回転力は前記駆動軸に伝えるが前記駆動軸からの回転力は前記回転力伝達部材に伝えない回転力伝達・遮断装置と、前記紐状体巻取装置に回転可能に配設されるボビンと、一端部が前記ボビンに取り付けられてボビンの回転によりボビンに巻き取られたりボビンから繰り出されたりすると共に他端部が昇降体に取り付けられた紐状体と、前記ボビンと連結して回転可能に配設されると共に前記昇降体に設定荷重以上の荷重が作用すると前記駆動軸に対して回転可能な状態となるボビン連結回転部材と、を有してなることを特徴とする室内用物干し装置。
【請求項２】
取付部に取り付けられる物干し装置本体を備えてなる室内用物干し装置であって、
前記物干し装置本体は、前記取付部に固定されるケースカバーと、このケースカバーの両側部にそれぞれ設けられる紐状体巻取装置と、前記ケースカバーに内配される駆動軸と、前記ケースカバーに設けられた回転力伝達部材と、前記紐状体巻取装置と前記操作装置の間に配設されて前記回転力伝達部材の回転力は前記駆動軸に伝えるが前記駆動軸からの回転力は前記回転力伝達部材に伝えない回転力伝達・遮断装置と、前記紐状体巻取装置に回転可能に配設されるボビンと、一端部が前記ボビンに取り付けられてボビンの回転によりボビンに巻き取られたりボビンから繰り出されたりすると共に他端部が昇降体に取り付けられた紐状体と、前記ボビンと連結して回転可能に配設されると共に前記昇降体に設定荷重以上の荷重が作用すると前記駆動軸に対して回転可能な状態となるボビン連結回転部材と、を有してなることを特徴とする室内用物干し装置。
【請求項３】
前記ボビン連結回転部材をワンウェイヒンジで形成したことを特徴とする請求項１、請求項２のいずれか１項記載の室内用物干し装置。
【請求項４】
前記ボビンの外周面に形成される第１傾斜面と、前記ボビンの外周面に形成されると共に前記第１傾斜面の傾斜角度よりも傾斜角度が小さい第２傾斜面と、前記ボビンの外周面に形成されると共に前記第１傾斜面と第２傾斜面との間に連続形成されるアール状傾斜面と、を有してなることを特徴とする請求項１、請求項２、請求項３のいずれか１項記載の室内用物干し装置。
【請求項５】
前記紐状体巻取装置は前記ケースカバーのカバー空洞部に挿入された状態でリベットを介してケースカバーに固定されることを特徴とする請求項２、請求項３、請求項４のいずれか１項記載の室内用物干し装置。
【請求項６】
前記ケースカバーは、ケースカバーの長手方向に向かって形成されたカバー空洞部と、前記ベースカバーの上面板部に連続形成された第１垂下板部と、前記ベースカバーの上面板部に連続形成されると共に第１垂下板部と対向して形成された第２垂下板部と、前記第１垂下板部に形成された第１係止片と、前記第２垂下板部に形成されると共に前記第１係止片と対向して形成された第２係止片と、前記ベースカバーの下面で第１係止片と第２係止片の間に形成されたカバー下面開口部と、を備えたことを特徴とする請求項２、請求項３、請求項４、請求項５のいずれか１項記載の室内用物干し装置。
【発明の詳細な説明】
【技術分野】
【０００１】
本発明は、主に室内の天井に設置されて洗濯物等を干す昇降体を昇降させることができる室内用物干し装置に関し、詳しくは昇降体に設定荷重以上の荷重が加わると昇降体が自動的に下降する室内用物干し装置に関する。
【背景技術】
【０００２】
近年、家庭用乾燥機の普及や外気の汚染、あるいは家屋やマンション等の建物の外観維持の目的等の種々の理由から室内で洗濯物を干す家庭が増加している。
このため、これに伴い室内で洗濯物等を吊るすハンガーや物干し竿を吊り下げて洗濯物を干す室内用物干し装置が提案されている（例えば引用文献１）。
この室内用物干し装置は、天井等に固定されるカバー部材と、このカバー部材の両側部にそれぞれ回転可能に設けられる巻取部と、この巻取部に巻き取られたり繰り出されたりすると共に竿部材を昇降可能に吊り下げる紐部材と、を備えている。
また、ロック部材が設けられておりロック部材が前記巻取部の回転をロックすることにより、吊り下げられた竿部材が下がらない構成になっている。
【先行技術文献】
【特許文献】
【０００３】
【特許文献１】特開２０１５−１０４４４６号公報
【発明の概要】
【発明が解決しようとする課題】
【０００４】
このため前記ロック部材でロックすると竿部材が下降しないので竿部材に重い洗濯物を干した場合は荷重が紐部材、巻取部、カバー部材に作用したり、あるいはカバー部材が固定されている天井の天井板に作用したりすることにより、室内用物干し装置や天井板にダメージを与えてしまう不具合がある。
また、前記室内用物干し装置に設けられたボビンは一端部と他端部の外径寸法が同一の円筒状であるため紐部材をボビンに巻き取る場合、紐部材が重なり合って巻き取られてしまい易く、左右に設けられた巻取部の紐部材巻取量に大きな差が生じ、竿部材を傾斜状態で吊り上げてしまうことにより室内用物干し装置の見栄えが悪くなるという不具合がある。
【０００５】
本発明は、上記事実に鑑みなされたものであり、設定荷重以上の重い洗濯物を干した場合等は紐状体が繰り出されて昇降体が自動的に降下することにより室内用物干し装置や取付部にダメージを与えることを阻止すると共に昇降体を水平状態で吊り上げて置くことができるので室内用物干し装置の見栄えが低下することを防止できる室内用物干し装置を提供するものである。
【課題を解決するための手段】
【０００６】
請求項１の発明は、取付部に取り付けられる物干し装置本体を備えてなる室内用物干し装置であって、
前記物干し装置本体は、紐状体巻取装置と、駆動軸と、この駆動軸に回転力を伝える回転力伝達部材と、この回転力伝達部材の回転力は前記駆動軸に伝えるが前記駆動軸からの回転力は前記回転力伝達部材に伝えない回転力伝達・遮断装置と、前記紐状体巻取装置に回転可能に配設されるボビンと、一端部が前記ボビンに取り付けられてボビンの回転によりボビンに巻き取られたりボビンから繰り出されたりすると共に他端部が昇降体に取り付けられた紐状体と、前記ボビンと連結して回転可能に配設されると共に前記昇降体に設定荷重以上の荷重が作用すると前記駆動軸に対して回転可能な状態となるボビン連結回転部材と、を有してなることを特徴としている。
請求項２の発明は、取付部に取り付けられる物干し装置本体を備えてなる室内用物干し装置であって、
前記物干し装置本体は、前記取付部に固定されるケースカバーと、このケースカバーの両側部にそれぞれ設けられる紐状体巻取装置と、前記ケースカバーに内配される駆動軸と、前記ケースカバーに設けられた回転力伝達部材と、前記紐状体巻取装置と前記操作装置の間に配設されて前記回転力伝達部材の回転力は前記駆動軸に伝えるが前記駆動軸からの回転力は前記回転力伝達部材に伝えない回転力伝達・遮断装置と、前記紐状体巻取装置に回転可能に配設されるボビンと、一端部が前記ボビンに取り付けられてボビンの回転によりボビンに巻き取られたりボビンから繰り出されたりすると共に他端部が昇降体に取り付けられた紐状体と、前記ボビンと連結して回転可能に配設されると共に前記昇降体に設定荷重以上の荷重が作用すると前記駆動軸に対して回転可能な状態となるボビン連結回転部材と、を有してなることを特徴としている。
請求項３の発明は、前記ボビン連結回転部材をワンウェイヒンジで形成したことを特徴としている。
請求項４の発明は、前記ボビンの外周面に形成される第１傾斜面と、前記ボビンの外周面に形成されると共に前記第１傾斜面の傾斜角度よりも傾斜角度が小さい第２傾斜面と、前記ボビンの外周面に形成されると共に前記第１傾斜面と第２傾斜面との間に連続形成されるアール状傾斜面と、を有してなることを特徴としている。
請求項５の発明は、前記紐状体巻取装置は前記ケースカバーのカバー空洞部に挿入された状態でリベットを介してケースカバーに固定されることを特徴としている。
請求項６の発明は、前記ケースカバーは、ケースカバーの長手方向に向かって形成されたカバー空洞部と、前記ベースカバーの上面板部に連続形成された第１垂下板部と、前記ベースカバーの上面板部に連続形成されると共に第１垂下板部と対向して形成された第２垂下板部と、前記第１垂下板部に形成された第１係止片と、前記第２垂下板部に形成されると共に前記第１係止片と対向して形成された第２係止片と、前記ベースカバーの下面で第１係止片と第２係止片の間に形成されたカバー下面開口部と、を備えたことを特徴としている。
【発明の効果】
【０００７】
本発明の室内用物干し装置は、設定最大荷重以上の荷重が昇降体に作用した場合は昇降竿を吊り下げる紐状体が繰り出されるので物干し装置本体や取付部の破損等を未然に防止することができるという優れた効果を有する。
本発明の室内用物干し装置は、昇降体を水平状で吊り上げて置くことができるので見栄えが悪くなるのを防止できるという優れた効果を有する。
本発明の室内用物干し装置は、昇降体を水平状で吊り上げて置くことができるので紐状体を昇降竿に結ぶ場合に神経質になることがないので昇降竿の取付作業効率を向上できるという優れた効果を有する。
さらに、本発明の室内用物干し装置は、紐状体巻取装置等を確実に保持した状態で位置決めしてベースカバー内に配設することができるので、紐状体巻取装置等の取付作業の効率化を図ることができると共にメンテナンスを行い易いというという優れた効果を有する。
【図面の簡単な説明】
【０００８】
【図１】実施例の室内用物干し装置の物干し装置本体を下方から見た分解斜視図である。
【図２】実施例の室内用物干し装置の物干し装置本体を下方から見た一部拡大分解斜視図である。
【図３】実施例の室内用物干し装置の物干し装置本体の縦断面図である。
【図４】実施例の室内用物干し装置の紐状体巻取巻出装置の平面図である。
【図５】実施例の室内用物干し装置のボビンの正面図である。
【図６】実施例の室内用物干し装置の紐ガイドプーリーの正面図である。
【図７】実施例の室内用物干し装置の紐を巻いたボビンの斜視図である。
【図８】実施例の室内用物干し装置の紐を巻いたボビンの正面図である。
【図９】実施例の室内用物干し装置の物干し装置本体を下方から見た斜視図である。
【図１０】実施例の室内用物干し装置の物干し装置本体の昇降竿を上昇させている状態正面図である。
【図１１】実施例の室内用物干し装置の物干し装置本体の正面図である。
【図１２】実施例の室内用物干し装置の正面図である。
【発明を実施するための形態】
【０００９】
発明を実施するために最良の形態の例として以下のような実施例を示す。
【実施例１】
【００１０】
図１乃至図１２には本発明に係る室内用物干し装置の一実施例が示されている。
図１２には実施例の室内用物干し装置１０の全体図が示されている。この室内用物干し装置１０は取付部に固定される物干し装置本体１２と、この物干し装置本体１２と別体の操作棒１４と、から構成されている。
【００１１】
前記物干し装置本体１２は、取付部としての天井Ａにビス等の適宜固定手段を介して固定されるケースカバー１６と、このケースカバー１６の両側部にそれぞれ内設される紐状体巻取装置１８と、前記ケースカバー１６の少なくとも一側部に内設される操作装置２０と、前記紐状体巻取装置１８に巻き取られたり繰り出されたりする紐状体としての紐２２と、これら紐２２に結ばれて昇降する昇降体としての長尺状の昇降竿２４と、を備えている。
【００１２】
図１及び図２には前記物干し装置本体１２の分解斜視図が示されている。前記ケースカバー１６を構成するベースカバー２６は薄い金属板を折り曲げて長尺状に形成されている。このベースカバー２６の内部には長手方向に向かってカバー空洞部２６Ａが形成されている。
【００１３】
前記ベースカバー２６の上面板部２６Ｂには連続して第１垂下板部２６Ｃと第２垂下板部２６Ｄが対向して形成されている。また、前記第１垂下板部２６Ｃには第１係止片２６Ｅが形成され、第２垂下板部２６Ｄには第２係止片２６Ｆが形成されている。前記第１係止片２６Ｅと前記第２係止片２６Ｆは互いに対向して形成されている。
【００１４】
前記ベースカバー２６の下面で第１係止片２６Ｅと第２係止片２６Ｆの間にはカバー下面開口部２６Ｇが形成されている。また、前記上面板部２６Ｂにはビス孔２６Ｈがベースカバー２６の長手方向に間隔を設けて複数形成されている。
【００１５】
図１乃至図３に示されるように、前記ベースカバー２６のカバー空洞部２６Ａには長手方向に向かって長尺状の駆動軸２８が回転可能に収容されている。
【００１６】
図１に示されるように、前記ベースカバー２６の一端部にはケースカバー１６を構成する第１ベースエッジカバー２９Ａが、ベースカバー２６の他端部にはケースカバー１６を構成する第２ベースエッジカバー２９Ｂが、それぞれ取り付けられている。
【００１７】
前記ベースカバー２６の下面にはケースカバー１６を構成するセンターカバー３０が着脱可能に取り付けられている。
また、センターカバー３０の一端部にはケースカバー１６を構成する第１エッジカバー３２が、前記センターカバー３０の他端部にはケースカバー１６を構成する第２エッジカバー３４が、それぞれ着脱可能に取り付けられている。
【００１８】
前記第１エッジカバー３２には紐挿通長孔３２Ａと操作回転体挿入長孔３２Ｂが形成され、前記第２エッジカバー３４には紐挿通孔３４Ａが形成されている。
前記ベースカバー２６の両側部にはベースカバー２６の両側面からカバー空洞部２６Ａに前記紐状体巻取装置１８を挿入することにより、紐状体巻取装置１８を内設できるようになっている。
【００１９】
また、ベースカバー２６には上面板部２６Ｂ、第１垂下板部２６Ｃ、第２垂下板部２６Ｄ、第１係止片２６Ｅ、第２係止片２６Ｆが形成されているので紐状体巻取装置１８は脱落したりすることなく確実に保持されると共に簡単に位置決めできるようになっている。
なお、紐状体巻取装置１８はプッシュリベット３５でベースカバー２６に簡単に固定されるようになっている。
【００２０】
図４に示されるように、前記紐状体巻取装置１８を構成する紐状体巻取装置ケース３６は合成樹脂材で立体形状に一体形成されている。この紐状体巻取装置ケース３６にはボビン収容部３８が形成されている。また、紐状体巻取装置ケース３６の底面には図２に示されるようにボビン収容部３８に対応する位置に紐ガイドプーリー収容筒体４０が一体形成されている。
【００２１】
図４に示されるように、前記ボビン収容部３８には前紐２２を巻き取ったり繰り出したりすると共に紐状体巻取装置１８を構成するボビン４２が回転可能に収容されている。
【００２２】
図４及び図５に示されるように、このボビン４２は紐２２が直接巻かれるボビン外筒体４４と、ボビン軸体４６と、から構成されている。
【００２３】
図５に示されるように、前記ボビン外筒体４４の一端部にはボビン外筒体鍔部４４ａが形成されている。前記ボビン外筒体４４には長手方向（図５左右方向）に向かってボビン外筒体鍔部４４ａの近くから離れるように第１傾斜面４４Ａと第２傾斜面４４Ｂがアール状傾斜面４４Ｃを介して連続形成されている。この第１傾斜面４４Ａの長手方向（図５左右方向）長さは第２傾斜面４４Ｂの長手方向（図５左右方向）長さより短く形成されているがボビン４２の中心線Ｔに対する第１傾斜面４４Ａの傾斜角度Ｋ１は第２傾斜面４４Ｂの傾斜角度Ｋ２より急傾斜に形成されている。
【００２４】
前記第１傾斜面４４Ａと前記第２傾斜面４４Ｂの間にアール状傾斜面４４Ｃを連続形成することにより巻き取られる紐２２はスムーズに第１傾斜面４４Ａから第２傾斜面４４Ｂに移動できるようになっている。
【００２５】
図２に示されるように、前記ボビン軸体４６の軸部４６Ａは前記ボビン外筒体４４に係止された状態で挿入されるようになっている。この軸部４６Ａには駆動軸挿通孔４６Ｂが貫通形成され、前記駆動軸２８が挿通されるようになっている（図３参照）。また、前記ボビン軸体４６の円板部４６Ｃにはキー溝４６Ｄが形成されている。
【００２６】
図１及び図２に示されるように、前記ボビン軸体４６の円板部４６Ｃに対向してボビン連結回転部材としてのワンウェイヒンジ４８が配設されている。このワンウェイヒンジ４８はトルクリミッタ機構とワンウェイクラッチ機構を備えた公知のワンウェイヒンジであり、挿通される駆動軸２８と噛み合って設定荷重以下の荷重が昇降竿２４に作用している場合では駆動軸２８と一緒に回転はするが、設定荷重以上の荷重が昇降竿２４に作用した場合は駆動軸２８と噛み合った状態を維持するがワンウェイヒンジ４８の内部で機構が働き滑りが発生するようになっている。
なお、前記設定荷重は任意に設定できるが、この実施例では一例として設定荷重は８ｋｇ（例えば、バスタオル２０枚分の重さ）に設定されている。
【００２７】
図２に示されるように、このワンウェイヒンジ４８には駆動軸挿通孔４８Ａが貫通形成され、前記駆動軸２８が挿通されるようになっている（図３参照）。
【００２８】
図４に示されるように、前記ワンウェイヒンジ４８の一端面にはキー４８Ｂが突設形成されている。このキー４８Ｂは前記ボビン軸体４６のキー溝４６Ｄと噛み合うようになっている。これにより、前記ボビン４２とワンウェイヒンジ４８は連結状態で回転するようになっている。
【００２９】
前記紐状体巻取装置ケース３６の両側部には軸受５０，５０がそれぞれ収容されて配設されている。これら軸受５０，５０には前記駆動軸２８が挿通されている（図３参照）。
【００３０】
図２に示されるように、前記紐ガイドプーリー収容筒体４０には紐状体ガイドプーリー５２（図６参照）が挿入され、紐状体ガイドプーリー５２は紐ガイドプーリー収容筒体４０に取り付けられたプーリ支持ピン５４によって回転自在に支持されている。
【００３１】
なお、前記紐状体巻取装置ケース３８に一体形成された前記紐ガイドプーリー収容筒体４０の取付位置は、前記紐状体巻取装置ケース３８に取り付けられたプーリー４２の第１傾斜面４４Ａと対応している。
【００３２】
図６に示されるように、紐状体ガイドプーリー５２には略Ｖ字状のガイド溝５２Ａが円周方向に形成されている。紐状体ガイドプーリー５２は紐２２がボビン４２に巻き取られる場合は紐２２をボビン４２の第１傾斜面４４Ａに円滑にガイドし、紐２２がボビン４２から繰り出される場合は紐２２を下方に円滑にガイドするものである。しかも、前記紐状体ガイドプーリー５２には略Ｖ字状のガイド溝５２Ａが形成されているので、紐２２はガイド溝５２Ａを通過することにより円滑にガイドされる。
【００３３】
図２に示されるように、前記紐状体巻取装置ケース３６の横には回転力伝達・遮断装置としてのクラッチ５６が同軸状に配設されている。このクラッチ５６の固定板５６Ａは紐状体巻取装置ケース３６の一端面３６Ａと当接した状態でプッシュリベット３５を介して固定されている。
【００３４】
前記クラッチ５６には、前記駆動軸２８の一端部が挿入されている（図３参照）。このクラッチ５６は後述する第１かさ歯車の回転力は駆動軸２８に伝えるが、駆動軸２８の回転力は第１かさ歯車に伝えない構成になっている。
【００３５】
図３に示されるように、前記ケースカバー１６の一端部には前記操作装置２０を構成するギヤボックス６０が内設されている。
前記ギヤボックス６０には前記操作装置２０を構成する回転力伝達部材としての公知の第１かさ歯車６２と第２かさ歯車６４が直交方向に位置すると共に互いに当接した状態で内設されている。これにより、第１かさ歯車６２と第２かさ歯車６４によって直角方向に回転力を伝えることができるようになっている。
【００３６】
図２に示されるように、前記ギヤボックス６０の底面には前記操作装置２０を構成する操作回転体６６が設けられている。この操作回転体６６は前記第２かさ歯車６４のシャフト部と連結ピン６７で連結されている。
これにより、第２かさ歯車６４が回転すれば操作回転体６６が回転し、操作回転体６６が回転すれば第２かさ歯車６４が回転するようになっている。
また、前記操作回転体６６の底面には略Ｕ字状の操作ループ部６６Ａが一体形成されている。
【００３７】
図７及び図８に示されるように、前記ボビン４２に巻かれる紐２２は一端部２２Ａが第２傾斜面４４Ｂの端部に固定されるようになっている。一端部２２Ａがボビン４２に固定された紐２２はボビン４２の第２傾斜面４４Ｂ、Ｒ状傾斜面４４Ｃ、第１傾斜面４４Ａに巻かれた後に紐ガイドプーリー収容筒体４０を挿通して紐状体ガイドプーリー５２のガイド溝５２Ａを通過するようになっている。
【００３８】
図３及び図１２に示されるように、前記昇降竿２４の一端部と他端部にはエルボーパイプ状の昇降竿キャップ２４Ａがそれぞれ取り付けられている。この昇降竿キャップ２４Ａは２ピースで形成されている（図３参照）。また、前記昇降竿キャップ２４Ａには前記紐２２の他端部２２Ｂが結び付けられている（図１２参照）。
【００３９】
図１２に示されるように、前記操作棒１４の操作棒長尺部７０の先端部には鉤状のフック部７２が形成されている。このフック部７２は前記操作回転体６６の操作ループ部６６Ａに係止できるようになっている。
【００４０】
前記操作棒長尺部７０の基端部はパイプ状の操作棒把持体７４に挿入されている。また、前記操作棒長尺部７０の基端部にはハンドル部７６が回転可能に設けられている。
これにより、一方の手で操作棒把持体７４を把持して他方の手でハンドル部７６を回転させればフック部７２を回転できるようになっている。
【００４１】
次に、実施例の室内用物干し装置１０の作用について説明する。
【００４２】
本発明に係る室内用物干し装置１０の物干し装置本体１２を天井Ａに固定する場合について説明する。
【００４３】
ボビン４２やワンウェイヒンジ４８等を配設した紐状体巻取装置１８をベースカバー２６内に挿入してプッシュリベット３５で紐状体巻取装置１８をベースカバー２６内に固定する。
また、紐２２は前記ボビン４２に紐２２の一端部２２Ａを固定し、紐２２の他端部２２Ｂは紐ガイドプーリー収容筒体４０を挿通させて紐２２を垂れ下げた状態にしておく。
【００４４】
なお、前記紐状体巻取装置１８をベースカバー２６に固定する場合、ベースカバー２６には上面板部２６Ｂ、第１垂下板部２６Ｃ、第２垂下板部２６Ｄ、第１係止片２６Ｅ、第２係止片２６Ｆが形成されているので、紐状体巻取装置１８をベースカバー２６内に差し込むだけで紐状体巻取装置１８を確実に保持した状態で位置決めしてベースカバー２６内に配設することができる。しかも、紐状体巻取装置１８はプッシュリベット３５で固定されるので簡単に固定することができる。
【００４５】
そして、ケースカバー１６の両側部にそれぞれ固定された紐状体巻取装置１８に駆動軸２８を挿通させる。
【００４６】
前記ケースカバー１６の一側部に固定された紐状体巻取装置１８にはクラッチ５６の固定板５６Ａを紐状体巻取装置ケース３６の一端面３６Ａに当接させてプッシュリベット３５でクラッチ５６を紐状体巻取装置ケース３６に固定する。
【００４７】
また、前記クラッチ５６の横に操作装置２０を取り付けると共に第１ベースエッジカバー２９Ａと第２ベースエッジカバー２９Ｂをそれぞれ取り付ける。
【００４８】
次に第１エッジカバー３２と第２エッジカバー３４を用意して紐２２の他端部２２Ｂを第１エッジカバー３２の紐挿通長孔３２Ａと第２エッジカバー３４の紐挿通長孔３４Ａに通してから第１エッジカバー３２と第２エッジカバー３４をベースカバー２６に取り付ける。
【００４９】
そして、ベースカバー２６の上面板部２６Ｂを天井Ａに当接した状態にしてビスをビス孔２６Ｈに打ってベースカバー２６を天井Ａに固定する。なお、前記ベースカバー２６の下面には開口部２６Ｇが形成されているので、簡単にビスをビス孔２６Ｈに打ってベースカバー２６を天井Ａに固定できる。
【００５０】
次に、センターカバー３０をベースカバー２６に取り付ける。最後に紐２２の他端部２２Ｂを昇降竿キャップ２４Ａに結ぶことにより昇降竿２４を紐２２に取り付けることができる。
【００５１】
以上の作業手順により図１２に示す状態で室内用物干し装置１０の物干し装置本体１２を天井Ａに取り付けることができる。
【００５２】
次に、実施例の室内用物干し装置１０の昇降竿２４を下降させる場合について説明する。
【００５３】
図９及び図１１に示されるように吊り上げた状態の昇降竿２４を下降させる場合は、物干し装置本体１２と別体の操作棒１４を取り出して操作棒１４のフック部７２を操作回転体６６の操作ループ部６６Ａに係止する。
【００５４】
そして、一方の手で操作棒１４の操作棒把持体７４を把持して他方の手でハンドル部７６を回転させてフック部７２を回転させることにより、操作ループ部６６Ａを介して操作回転体６６を回転させる。この操作回転体６６が回転すると第２かさ歯車６４が回転して第１かさ歯車６２が回転する。
【００５５】
第１かさ歯車６２が回転するとクラッチ５６が回転し、クラッチ５６と接続されている駆動軸２８が繰り出し回転方向（図７矢印Ａ方向）に回転することにより駆動軸２８と噛み合った状態になっているワンウェイヒンジ４８が回転し、ワンウェイヒンジ４８と連結されているボビン４２が回転する。このボビン４２の回転によりボビン４２に巻かれている紐２２が繰り出され、昇降竿２４が下降する。
【００５６】
使用者は昇降竿２４が洗濯物を干す最適な位置まで下降したら操作棒１４のフック部７２の回転操作を止めて操作棒１４を操作回転体６６の操作ループ部６６Ａから外す。
これにより、使用者の希望する高さ位置で昇降竿２４が停止するので、前記昇降竿２４にタオル等の洗濯物を直接掛けたり、洗濯物が係止されているハンガー等を昇降竿２４に吊り下げたりして洗濯物を干すことができる。
【００５７】
なお、前記昇降竿２４に設定荷重以上の重さの洗濯物を干してしまった場合は紐２２、ボビン４２を介してワンウェイヒンジ４８に当該荷重が作用するが、設定荷重以上の荷重が作用することによりワンウェイヒンジ４８の機構が働いてワンウェイヒンジ４８と駆動軸２８は噛み合っているが、ワンウェイヒンジ４８の内部で滑りが発生する。
これにより、ボビン４２が紐２２の繰り出しにより繰り出し方向に回転するので、紐２２が繰り出され昇降竿２４が下がる。
この結果、昇降竿２４が床近傍まで下がって洗濯物の下部が床に着くので、昇降竿２４に作用した設定荷重以上の荷重が削減されるため、物干し装置本体１２大きな荷重が作用することを阻止できることにより、物干し装置本体１２が故障、破損したりすることを未然に防止できる。
また、設定荷重以上の荷重が物干し装置本体１２に作用することを阻止できるため、物干し装置本体１２が固定されている天井Ａの天井板等に長時間作用することを防止できるので、天井Ａの天井板等が撓んだり破損したりすることを未然に防止することができる。
【００５８】
同様に、吊り下げられた状態の昇降竿２４に子供が悪戯等で昇降竿２４にぶら下がる等の悪戯をして設定荷重以上の荷重が昇降竿２４に作用した場合も、昇降竿２４が床近傍まで下がるので、怪我等を未然に防止することができる。
従って、前記室内用物干し装置１０は安全性の面においても極めて優れている。
【００５９】
次に、実施例の室内用物干し装置１０の昇降竿２４を上昇させる場合について説明する。
【００６０】
図１２の状態にある昇降竿２４を上昇させて吊り上げて置く場合は、前記操作棒１４を取り出して操作棒１４のフック部７２を操作回転体６６の操作ループ部６６Ａに係止する。
【００６１】
そして、一方の手で操作棒１４の操作棒把持体７４を把持して他方の手でハンドル部７６を回転させてフック部７２を昇降竿２４を下降させる場合と逆方向に回転させることにより、操作ループ部６６Ａを介して操作回転体６６を回転させる。この操作回転体６６が回転すると第２かさ歯車６４が回転して第１かさ歯車６２が回転する。
【００６２】
第１かさ歯車６２が回転するとクラッチ５６が回転し、クラッチ５６と接続されている駆動軸２８が巻き取り回転方向（図７矢印Ｂ方向）に回転することにより駆動軸２８と噛み合っているワンウェイヒンジ４８が回転し、ワンウェイヒンジ４８と連結されているボビン４２が回転する。
【００６３】
前記ボビン４２の回転によりボビン４２に紐２２が巻き取られることにより、紐２２に結ばれている昇降竿２４が上昇する。
使用者は昇降竿２４が図９、図１１に示す位置まで上昇したら操作棒１４のフック部７２の回転操作を止めて操作棒１４を操作回転体６６の操作ループ部６６Ａから外す。
これにより、昇降竿２４を上昇させて吊り上げて置くことができる。
【００６４】
なお、前記ボビン４２に紐２２が巻き取られる場合、紐２２はボビン外筒体４４の第１傾斜面４４Ａから巻き取られるが、第１傾斜面４４Ａは第２傾斜面４４Ｂに向かって斜め下方に向かって傾斜しているので紐２２はアール状傾斜面４４Ｃを介して第２傾斜面４４Ｂに向かって滑るようにしてボビン外筒体４４に巻き取られる。
【００６５】
しかも、ボビン外筒体４４の第２傾斜面４４Ｂも傾斜しているので、紐２２は第２傾斜面４４Ｂの端部に向かって滑っていくので、図７、図８に示されるように前記紐２２は重ならないようにボビン外筒体４４に整然と並んで巻き取られる。
【００６６】
従って、ケースカバー１６の両側部にそれぞれ内設されている紐状体巻取装置１８のボビン４２に巻き取られる紐２２の巻き取り量に大きな差が生まれないので、上昇する昇降竿２４は大きく傾いたりせず水平状態を保って上昇されることができる。
【００６７】
なお、何らかの理由により図１０に示されるように、昇降竿２４が傾いた状態で上昇し、昇降竿２４の一端部の昇降竿キャップ２４Ａが第１エッジカバー３２に当接した場合は、昇降竿キャップ２４Ａが第１エッジカバー３２に当接することにより、ケースカバー１６の一端部に内設されている紐状体巻取装置１８には紐２２、ボビン４２を介してワンウェイヒンジ４８に作用するが、設定荷重以上の荷重が作用することにより前記ワンウェイヒンジ４８の機構が働いてワンウェイヒンジ４８と駆動軸２８は噛み合っているが、ワンウェイヒンジ４８の内部で滑りが発生する。
【００６８】
従って、ケースカバー１６の他端部に内設されている紐状体巻取装置１８の紐２２だけがボビン４２に巻き取られるため、昇降竿２４の他端部が上昇して図１１に示されるように昇降竿２４は水平状態を維持して吊り上げられる。
この結果、物干し装置本体１２の見栄えが悪くなることを防止することができる。
【００６９】
また、室内用物干し装置１０においては上述したように昇降竿２４は水平状態で吊り上げられるので紐２２に昇降竿２４を取り付ける場合に紐２２の他端部２２Ｂを昇降竿２４の昇降竿キャップ２４Ａに結ぶ際に一側部側の紐２２と他側部側の紐２２の長さが同じか否か等について神経質にならずに紐２２の他端部２２Ｂを昇降竿２４の昇降竿キャップ２４Ａに結ぶことができるので、昇降竿２４の取付作業の作業効率を向上させることができる。
【００７０】
また、前記物干し装置本体１２の紐状体巻取装置１８等をメンテナンスする場合はプッシュリベット３５を外せばベースカバー２６から簡単に紐状体巻取装置１８等を取り出すことができ、紐状体巻取装置１８等を修理し終われば簡単にベースカバー２６に収容することができるので物干し装置本体１２のメンテナンスが行い易く、メンテナンスの作業効率を向上できるという利点を有する。
【００７１】
なお、前記紐２２の長さ寸法は室内用物干し装置１０の物干し装置本体１２が取り付けられる部屋の室内高さ寸法と比べて少し短い長さ寸法が一般的に好ましい。例えば、室内高さ寸法が２ｍ４０ｃｍの場合の部屋の天井Ａに物干し装置本体１２を取り付ける場合は紐２２の長さ寸法は２ｍ位が好ましい。
【００７２】
なお、実施例の室内用物干し装置１０は、操作棒１４を使用して手動で操作回転体６６を回転させて昇降竿２４を上昇又は下降するようにしたが、室内用物干し装置１０は操作棒１４を不要にして操作回転体６６を自動回転させて昇降竿２４を上昇又は下降するものでもよい。
【００７３】
また、実施例では前記ボビン４２は、紐２２が直接巻かれるボビン外筒体４４とボビン外筒体４４に挿入されるボビン軸体４６との２部材から形成したが、前記ボビン４２は一体形成して１部材で形成してもよいことは勿論である。
【００７４】
なお、実施例において室内用物干し装置１０の物干し装置本体１２を天井Ａに取り付ける手順を示したが、実施例で示した取り付け手順は一取り付け手順であり、他の取り付け手順で前記物干し装置本体１２を天井Ａに取り付けてもよいことは勿論である。
また、実施例では紐状体としての紐２２を２本使用する場合を例にした室内用物干し装置１０を示したが、室内用物干し装置１０に紐状体としての紐２２を１本もしくは２本以上設けるようにしてもよい。
また、実施例では昇降体として備え付けの昇降竿２４を示したが、洗濯物を直接的又は間接的に干す昇降体は前記昇降竿２４に限定されるものではなく、例えば紐２２の他端部２２Ｂに環状体を取り付けておいて別途に購入した洗濯竿を前記環状体に挿通させて用いたり、あるいは前記環状体に各種の洗濯用ハンガーを直接取り付けて用いるようにしてもよいことは勿論である。
なお、実施例では紐状体として紐２２を示したが、紐状体は紐に限定されるものでなく細いロープやワイヤー等でもよいことは勿論である。
また、実施例では回転力伝達部材としての第１かさ歯車６２、第２かさ歯車６４を示したが、回転力伝達部材はかさ歯車に限定されるものでなく、ウォーム歯車等の他の歯車やベルト、チェーン等の他の伝達手段でもよい。
【産業上の利用可能性】
【００７５】
本発明の室内用物干し装置１０は室内の天井Ａ以外にも取り付けて使用することができる。
【符号の説明】
【００７６】
１０    室内用物干し装置
１２    物干し装置本体
１４    操作棒
１６    ケースカバー
１８    紐状体巻取装置
２０    操作装置
２２    紐
２４    昇降竿
２６    ベースカバー
２８    駆動軸
２９Ａ  第１ベースエッジカバー
２９Ｂ  第２ベースエッジカバー
３０    センターカバー
３２    第１エッジカバー
３４    第２エッジカバー
３６    紐状体巻取装置ケース
３８    ボビン収容部
４０    紐ガイドプーリー収容筒体
４２    ボビン
４４    ボビン外筒体
４４Ａ  第１傾斜面
４４Ｂ  第２傾斜面
４４Ｃ  アール状傾斜面
４６    ボビン軸体
４８    ワンウェイヒンジ
５０    軸受
５２    紐状体ガイドプーリー
５２Ａ  ガイド溝
５６    クラッチ
６０    ギヤボックス
６２    第１かさ歯車
６４    第２かさ歯車
６６    操作回転体
６６Ａ  操作ループ部
７０    操作棒長尺部
７２    フック部
７４    操作棒把持体
７６    操作棒ハンドル部
【図１】
2018068941.tif 000003
【図２】
2018068941.tif 000004
【図３】
2018068941.tif 000005
【図４】
2018068941.tif 000006
【図５】
2018068941.tif 000007
【図６】
2018068941.tif 000008
【図７】
2018068941.tif 000009
【図８】
2018068941.tif 000010
【図９】
2018068941.tif 000011
【図１０】
2018068941.tif 000012
【図１１】
2018068941.tif 000013
【図１２】
2018068941.tif 000014